(57)【要約】【課題】浴室の床面等でのぬめりの発生を抑制し得る浴室暖房乾燥機を提供する。【解決手段】電解水噴霧ユニット２７は、電解水を生成する電解槽３４と、電解槽で生成した電解水を電解水吹出口３６から噴霧する噴霧部を含み、制御部は、加湿部１０により加湿した空気を浴室に供給し、加熱部８および循環ファン装置９により浴室の壁面の温度が所定温度以上である状態を所定時間維持するカビ抑制運転を有し、電解水噴霧ユニット２７は、カビ抑制運転と連動して、電解槽３４で生成された電解水を電解水吹出口３６から噴霧する。【選択図】図５
2019165831.tif 000002
【特許請求の範囲】
【請求項１】
吸込み口、吹出し口、加熱部、循環ファン装置、および加湿部を有する本体と、
前記循環ファン装置、前記加熱部、および前記加湿部を制御する制御部と、
電解水噴霧ユニットと、を備えた浴室暖房乾燥機であって、
前記循環ファン装置により、前記吸込み口から吸い込まれた浴室の空気は、前記吹出し口から前記浴室へ吹き出され、
前記加熱部により、前記吸込み口から吸い込まれた空気は温められ、
前記加湿部により、前記加熱部で温められた空気は加湿され、
前記電解水噴霧ユニットは、電解水を生成する電解槽と、前記電解槽で生成した電解水を電解水吹出口から噴霧する噴霧部と、を含み、
前記制御部は、前記加湿部により加湿した空気を前記浴室に供給し、前記加熱部および前記循環ファン装置により前記浴室の壁面の温度が所定温度以上である状態を所定時間維持するカビ抑制運転を有し、
前記電解水噴霧ユニットは、前記カビ抑制運転と連動して、前記電解槽で生成された電解水を前記電解水吹出口から噴霧することを特徴とする浴室暖房乾燥機。
【請求項２】
前記電解水噴霧ユニットは、前記電解槽への通水を切り替える弁を備え、
前記電解槽は、電極と、前記電極から入った電流が流れる電極板と、を含み、
前記制御部は、前記弁を開として前記電解槽へ通水している状態で、前記電極へ電流を流すことを特徴とする請求項１に記載の浴室暖房乾燥機。
【請求項３】
前記電解槽は、２つの電極を含み、
前記制御部は、前記電解槽の前回運転時にプラス極であった一方の電極がマイナス極となるよう電流を流すことを特徴とする請求項１または２に記載の浴室暖房乾燥機。
【請求項４】
前記電解水を噴霧した後に、前記加熱部および前記循環ファン装置により温風を前記浴室に送風する乾燥運転を行うことを特徴とする請求項１〜３のいずれか１項に記載の浴室暖房乾燥機。
【請求項５】
前記加湿部からの液体を噴霧する加湿ノズルと、前記電解水吹出口を有する電解水ノズルとが別体に設けられていることを特徴とする請求項１〜４のいずれか１項に記載の浴室暖房乾燥機。
【請求項６】
前記電解水噴霧ユニットは、前記カビ抑制運転の後に、前記電解槽で生成された電解水を前記電解水吹出口から噴霧することを特徴とする請求項１〜５のいずれか１項に記載の浴室暖房乾燥機。
【請求項７】
前記電解水噴霧ユニットは、前記カビ抑制運転の前に、前記電解槽で生成された電解水を前記電解水吹出口から噴霧することを特徴とする請求項１〜５のいずれか１項に記載の浴室暖房乾燥機。
【発明の詳細な説明】
【技術分野】
【０００１】
本発明は、入浴時に浴室内を暖房し、あるいは加湿する機能を備えた浴室暖房乾燥機に関する。
【背景技術】
【０００２】
天井裏等に浴室暖房乾燥機を備えた浴室では、気温が低い場合に浴室内が暖房され、入浴後は浴室内を速やかに乾燥させて、壁面等でのカビの発生を抑制し、あるいは洗濯物を乾燥できるようにした機能を備えたものがある。
【０００３】
浴室暖房乾燥機には、浴室内に温風を供給して暖房及び乾燥を行う温風供給装置やミストサウナ装置、浴室内の空気を浴室外に排出する換気装置が備えられている。また、温風供給装置及び換気装置の機能を使用して、浴室内でのカビの発生を抑制するカビ抑制運転を行う機能を備えたものもある。
【０００４】
上記のような暖房機能を備えた浴室暖房乾燥機として、特許文献１が知られている。
【先行技術文献】
【特許文献】
【０００５】
【特許文献１】特開２０１４−１８８０２３号公報
【発明の概要】
【発明が解決しようとする課題】
【０００６】
上記のような浴室暖房乾燥機で行われるカビ抑制運転は、ミスト運転により浴室の壁面、天井面及び床面を水膜で覆う。この状態で浴室内に温風を供給して壁面、天井面及び床面を例えば４０℃以上となる状態で所定時間維持することによりカビにダメージを与え、カビの成長を妨げることによりカビ汚れの発生を抑制する。
【０００７】
そして、ミスト運転後に乾燥運転、送風運転、換気運転を行うことにより、すばやく浴室の壁面が乾いた状態にして、カビが成長し難い状態とする。
【０００８】
しかしながら、このようなカビ抑制運転では、カビ以外の酵母菌等の増殖による床面等のぬめりを効果的に抑制することはできない。
【０００９】
本発明は、上記課題を解決するためになされたものであって、その目的は、浴室の床面等でのぬめりの発生を抑制し得る浴室暖房乾燥機を提供することにある。
【課題を解決するための手段】
【００１０】
上記課題を解決するために、本発明の一態様に係る浴室暖房乾燥機は、吸込み口、吹出し口、加熱部、循環ファン装置、および加湿部を有する本体と、前記循環ファン装置、前記加熱部、および前記加湿部を制御する制御部と、電解水噴霧ユニットと、を備えた浴室暖房乾燥機であって、前記循環ファン装置により、前記吸込み口から吸い込まれた浴室の空気は、前記吹出し口から前記浴室へ吹き出され、前記加熱部により、前記吸込み口から吸い込まれた空気は温められ、前記加湿部により、前記加熱部で温められた空気は加湿され、前記電解水噴霧ユニットは、電解水を生成する電解槽と、前記電解槽で生成した電解水を電解水吹出口から噴霧する噴霧部と、を含み、前記制御部は、前記加湿部により加湿した空気を前記浴室に供給し、前記加熱部および前記循環ファン装置により前記浴室の壁面の温度が所定温度以上である状態を所定時間維持するカビ抑制運転を有し、前記電解水噴霧ユニットは、前記カビ抑制運転と連動して、前記電解槽で生成された電解水を前記電解水吹出口から噴霧する。
【発明の効果】
【００１１】
本発明の浴室暖房乾燥機によれば、浴室の床面等でのぬめりの発生と壁面、天井面及び床面のカビ汚れを抑制することができる。
【図面の簡単な説明】
【００１２】
【図１】浴室暖房乾燥機が設置される浴室を示す斜視図。
【図２】天井裏に設置される浴室暖房乾燥機及び電解水噴霧ユニットを示す斜視図。
【図３】浴室の天井面を示す斜視図。
【図４】浴室暖房乾燥機を示す断面図。
【図５】電解水噴霧ユニットの内部構成を示す平面図。
【図６】電解槽を示す斜視図。
【図７】電解槽の内部構成を示す説明図。
【図８】制御部の動作を示すフローチャート。
【図９】制御部の動作を示すフローチャート。
【図１０】制御部の動作を示すフローチャート。
【図１１】制御部の動作を示すフローチャート。
【図１２】制御部の動作を示すフローチャート。
【発明を実施するための形態】
【００１３】
以下、本発明の一実施形態である浴室暖房乾燥機を図面に従って説明する。
【００１４】
図１〜図４に示すように、浴室暖房乾燥機１は、浴室２の天井面３にフロントパネル４が露出される状態で天井裏に設置される。図３に示すように、フロントパネル４には、浴室２内の空気を吸込む吸込み口５と、浴室暖房乾燥機１から浴室２内に空気を吹出す吹出し口６が設けられている。
【００１５】
吹出し口６から、後記マイクロミスト発生部１０から供給されるマイクロミストが噴霧される。また、ミスト水を噴霧するミストノズル（加湿ノズル）６ａが設けられている。また、吹出し口６には、図示しないモータで開閉されるルーバー６ｂが設けられている。
【００１６】
図４に示すように、浴室暖房乾燥機１の本体７内において、吸込み口５の上方にはメインコイル（加熱部）８が設けられ、浴室２から吸込まれる空気を加熱可能となっている。メインコイル８には、屋外等に設置される温水器から温水が供給されて、吸込み口５から吸込まれる浴室２内の空気を温める機能を備える。メインコイル８と温水器との間には、温水の流量を制御する熱動弁が介在されている。また、メインコイル８には当該メインコイルの温度を検出するコイル温度センサーが設けられている。
【００１７】
メインコイル８の上方には循環ファン装置９が設けられ、循環ファン装置９の作動により浴室２内の空気が吸込み口５から吸込まれてメインコイル８で温められる。そして、温められた空気がマイクロミスト発生部（加湿部）１０を経て加湿され、吹出し口６から浴室２内に送風される。
【００１８】
マイクロミスト発生部１０は、破砕モータ１１で回転される遠心破砕円板１２及び揚水管１３と、貯水部１４と、破砕壁１５と、エリミネータ１６を備える。マイクロミスト発生部１０の作動時には、貯水部１４に温水が供給される。
【００１９】
揚水管１３が回転されると、貯水部１４に貯留されている水が吸い上げられる。吸い上げられた水は、揚水管１３とともに回転する遠心破砕円板１２により破砕壁１５に向かって吹き飛ばされ、破砕壁１５に衝突して破砕されることにより、細かな水粒となる。
【００２０】
細かな水粒は、循環ファン装置９で送風される空気とともにエリミネータ１６に案内される。エリミネータ１６は、あらかじめ設定された粒子径以下の水粒のみを通す機能を備えている。
【００２１】
従って、メインコイル８に温水が供給され、循環ファン装置９及びマイクロミスト発生部１０の作動時には、浴室２内にマイクロミストが噴霧されるとともに、吹出し口６から浴室２内に温風が送風される（ミスト運転）。ミスト運転はマイクロミスト発生部１０の作動ではなく、ミストノズル６ａからのミスト噴霧でも同様の効果をもたらすものであり、どちらでもよい。
【００２２】
また、暖房運転時には、メインコイル８に温水が供給された状態で循環ファン装置９が作動し、送風運転時には循環ファン装置９のみが作動する。
【００２３】
本体７の一方の側面には、ダンパー１７で開閉される換気口１８が設けられ、その換気口１８は換気路１９を介して屋外に連通している。
【００２４】
換気路１９には換気ファン２０が配設されている。そして、乾燥運転時あるいは送風運転時に、ダンパー１７の作動により換気口１８が開かれた状態で換気ファン２０が作動すると、浴室２から本体７内に吸い込まれた空気が、換気路１９を経て屋外に排出されるようになっている。
【００２５】
本体７には第一の制御部２１が配設され、図１に示すように、例えば浴室２に隣接する脱衣室２２に設けられる操作パネル２３と電気的に接続されている。そして、第一の制御部２１は、操作パネル２３から出力される操作信号と、本体７内において吸込み口５の上方に設けられている浴室内温度センサー２４や浴室内湿度センサー２５から出力される検出信号と、脱衣室２２の操作パネル２３内に設けられる脱衣室温度センサー２６から出力される検出信号と、あらかじめ設定されているプログラムと、に基づいてメインコイル８、循環ファン装置９、ダンパー１７及び換気ファン２０等の動作を制御する。
【００２６】
図１及び図２に示すように、浴室２の天井裏において、本体７の近傍には電解水噴霧ユニット２７が設置されている。電解水噴霧ユニット２７はケース３１を含み、ケース３１には、本体７内に給水を供給する給水管２８及び分岐管２９から給水接続部３０を介して給水が供給される。
【００２７】
図５に示すように、電解水噴霧ユニット２７では、ケース３１内に供給された給水が、配管３２ａ，３２ｂ及び配管３２ａ，３２ｂ間に介在される電磁弁３３を経て電解槽ケース（電解槽）３４に供給される。つまり、電磁弁３３は、電解槽ケース３４への通水を切り替える。
【００２８】
電解槽ケース３４内では電解水が生成され、その電解水は配管３２ｃを経て電解水ノズル３５に供給される。図３に示すように、天井面３における開口と電解水ノズル３５に設けられる電解水吹出口３６が連通し、電解槽ケース３４から供給された電解水が電解水吹出口３６から浴室２内に吹出されるようになっている。
【００２９】
なお、図３に示すように、加湿ノズル（ミストノズル６ａ）と電解水吹出口３６を有する電解水ノズル３５は別体で設けられていてもよい。これにより、ミスト運転のための水と除菌運転のための電解水とが混ざることを抑制できる。
【００３０】
図５に示すように、例えばケース３１内における電解水ノズル３５側の端部に、第二の制御部３７が配設されている。第二の制御部３７は、図２に示すケーブル３８を介して第一の制御部２１に接続される。第一の制御部２１及び第二の制御部３７は、あらかじめ設定されたプログラムに基づいて動作し、浴室暖房乾燥機１と電解水噴霧ユニット２７を連動して制御する。
【００３１】
なお、図２に示すように、浴室暖房乾燥機１と電解水噴霧ユニット２７にはそれぞれ電源ケーブル３９ａ，３９ｂを介して電源が供給されている。
【００３２】
図５及び図６に示すように、電解槽ケース３４の第二の制御部３７側の端部には電極４０ａ，４０ｂが設けられている。電極４０ａ，４０ｂは、それぞれ電源供給線（図示しない）を介して第二の制御部３７に接続されている。第二の制御部３７は、電極４０ａ，４０ｂの一方にはプラス側の直流電圧、他方にはマイナス側の直流電圧を供給し、電極４０ａ、４０ｂの耐久時間を長くするためにその極性を入れ替えて供給可能となっている。また、第二の制御部のマイコン（図示せず）により電極４０ａ、４０ｂに印加する直流電圧の電圧値は電解水の塩素イオン濃度を一定にするため電流値が一定になるように制御をおこなう。
【００３３】
図７に示すように、電解槽ケース３４内には例えば５枚の電極板４１ａ〜４１ｅが電解槽ケース３４の長手方向に沿って等間隔に併設されている。ここでの間隔は２ｍｍ〜５ｍｍ望ましくは３ｍｍである。そして、外側の電極板４１ａ，４１ｅと、中間に位置する電極板４１ｃに電極４０ａから直流電圧が供給され、電極板４１ａと電極板４１ｃの間の電極板４１ｂと、電極板４１ｃと電極板４１ｅの間の電極板４１ｄに電極４０ｂから直流電圧が供給されている。
【００３４】
従って、電極板４１ａ〜４１ｅには、隣り合う電極板とは異なる極性の直流電圧が供給される。
【００３５】
各電極板４１ａ〜４１ｅは、電解槽ケース３４の少なくとも両端部近傍、及び中央部に複数配設される固定部材４２により等間隔に保持される。そして、電解槽ケース３４内に供給される給水Ｗは、各電極板４１ａ〜４１ｅ間を経て電解水ノズル３５に供給される。
【００３６】
電極４０ａ，４０ｂに直流電圧が供給されると、電極板４１ａ〜４１ｅには、それぞれ隣り合う電極板とは異なる極性の直流電圧が印加される。すると、各電極板４１ａ〜４１ｅは、隣り合う電極板間で給水Ｗを介して直流電流が流れるため、各電極板４１ａ〜４１ｅ間を流れる給水Ｗが電気分解され電解水となる。電解水は、給水Ｗ中に含まれる塩素イオン濃度が増大して、通常の給水に比して除菌力が向上する。
【００３７】
次に、上記のように構成された浴室暖房乾燥機１の作用を説明する。
【００３８】
浴室暖房乾燥機１の本体７に配設される第一の制御部２１と、電解水噴霧ユニット２７に配設される第二の制御部３７は、浴室暖房乾燥機１及び電解水噴霧ユニット２７をあらかじめ設定されたプログラムに基づいて連動して制御する。
【００３９】
図８は、浴室暖房乾燥機１によるカビ抑制運転時の動作を示す。カビ抑制運転が開始されると、ミスト運転が開始される（ステップ１）。次いで、浴室内温度センサー２４及び浴室内湿度センサー２５で検出された浴室２内の温度及び湿度に基づいてミスト運転を継続する時間Ｔ１を決定する（ステップ２）。例えば、時間Ｔ１は少なくとも３０分に設定され、浴室２の壁面温度は４０℃以上で３０分以上維持される。すなわち、カビ抑制運転とは、加湿部（マイクロミスト発生部１０）により加湿した空気を浴室２に供給し、加熱部８および循環ファン装置９により浴室２の壁面温度が所定温度（例えば４０℃）以上である状態を所定時間（例えば３０分以上）維持する運転である。
【００４０】
そして、時間Ｔ１の間ミスト運転（ステップ３）がおこなわれると、ミスト運転を終了し（ステップ４）カビ抑制運転が終了する。
【００４１】
図９〜図１２は、除菌運転時の動作を示す。除菌運転は、浴室２内での酵母菌等の増殖を抑制するために、毎日行われることが好ましい。また、図８に示すカビ抑制運転は、１週間に１回程度行われることが好ましい。
【００４２】
除菌運転が開始されると、前回のカビ抑制運転から所定時間α（例えば１週間）が経過していれば、図８に示すカビ抑制運転が開始される（ステップ１１，１２）。カビ抑制運転が終了すると（ステップ１３でＹＥＳ）、第一の制御部２１は第二の制御部３７に電解水噴霧ユニット２７に運転開始信号を送信して（ステップ１４）、電解水噴霧ユニット２７の運転が開始される。
【００４３】
ステップ１１で、前回のカビ抑制運転から所定時間αが経過していない場合には、ステップ１４に移行して、カビ抑制運転を経ずして電解水噴霧ユニット２７の運転が開始される。カビ抑制運転から所定時間αが経過していない場合には、カビ抑制運転を行う必要がないため、速やかに電解水噴霧運転に移行することができる。
【００４４】
図１０に示すように、電解水噴霧ユニット２７の運転が開始されると、第二の制御部３７により、電磁弁３３が開かれ（ステップ１５，１６）、電解槽ケース３４内に給水が供給される。そして、前回の電解水噴霧運転時の電極４０ａ，４０ｂに印加された直流電圧の極性を判別する（ステップ１７）。
【００４５】
前回の電解水噴霧運転で電極Ａ（例えば電極４０ａ）にマイナス側の直流電圧が印加されていた場合（ステップ１７でＮＯの場合）には、第二の制御部３７は電極Ａにプラス側の直流電圧、電極Ｂ（例えば電極４０ｂ）にマイナス側の直流電圧を印加する（ステップ１８）。また、前回の電解水噴霧運転で電極Ａにプラス側の直流電圧が印加されていた場合（ステップ１７でＹＥＳの場合）には、電極Ａにマイナス側の直流電圧、電極Ｂにプラス側の直流電圧を印加する（ステップ１９）。すなわち、電極Ａと電極Ｂは例えば電極４０ａと電極４０ｂのように隣り合う電極である。
【００４６】
次いで、電解槽電流があらかじめ設定されている閾値Ｉ１（Ａ）を超えているか否かを判定する（ステップ２０）。ここでの電流閾値Ｉ１（Ａ）は例えば１Ａ〜５Ａ望ましくは２Ａである。電解槽電流は、電極Ａ，Ｂ間に流れる電流、すなわち電極板４１ａ〜４１ｅで隣り合う電極板間に流れる電流の総和である。なお、電流閾値Ｉ１（Ａ）は除菌のために有効な塩素濃度を有する電解水を生成するために十分な値であればよい。
【００４７】
ステップ２０で、電解槽電流が閾値Ｉ１（Ａ）を超えていると、電極４０ａ，４０ｂのいずれかに印加されているプラス側の直流電圧を低下させ、言い換えれば電極Ａ，Ｂ間に印加する電位差を小さくする（ステップ２１）。
【００４８】
また、ステップ２０で、電解槽電流が閾値Ｉ１（Ａ）を超えていない場合には、電極４０ａ，４０ｂのいずれかに印加されているプラス側の直流電圧を上昇させ、言い換えれば電極Ａ，Ｂ間に印加する電位差を大きくする（ステップ２３）。
【００４９】
ステップ２２では、ステップ２１で低下させた印加電圧があらかじめ設定されている閾値Ｅ２（Ｖ）以下であるか否かが判定される。ステップ２１で低下させた印加電圧があらかじめ設定されている閾値Ｅ２（Ｖ）以下である場合には、ステップ２３に移行して、プラス側の直流電圧を上昇させる。電圧閾値Ｅ２（Ｖ）は例えば５Ｖ〜１５Ｖ程度で、望ましくは１０Ｖである。
【００５０】
ステップ２４では、ステップ２３で上昇させた印加電圧があらかじめ設定されている閾値Ｅ３（Ｖ）以上であるか否かが判定される。ステップ２１で低下させた印加電圧があらかじめ設定されている閾値Ｅ３（Ｖ）以上である場合には、ステップ２１に移行して、プラス側の直流電圧を低下させる。電圧閾値Ｅ３（Ｖ）は例えば３５Ｖ〜４５Ｖ程度で、望ましくは４０Ｖである。
【００５１】
このようなステップ２１〜２４の動作により、電極４０ａ，４０ｂのいずれかに印加されるプラス側の直流電圧が閾値Ｅ２（Ｖ）と閾値Ｅ３（Ｖ）との間でかつ電解槽電流が閾値Ｉ１（Ａ）に収束するように制御される。
【００５２】
そして、このような動作により、電解槽ケース３４内で電解水が生成され、生成された電解水の塩素濃度が一定値以上の電解水が電解水ノズル３５の電解水吹出口３６から噴霧される。塩素濃度は望ましくは２ｐｐｍ以上である。
【００５３】
ステップ２２で、印加電圧が閾値Ｅ２（Ｖ）以下ではない場合及びステップ２４で、印加電圧が閾値Ｅ３（Ｖ）以上ではない場合、すなわち印加電圧が閾値Ｅ２（Ｖ）と閾値Ｅ３（Ｖ）との間の電圧である場合には、図１１に示すステップ２５に移行する。
【００５４】
ステップ２５では、上記のような電解水生成動作が所定時間γ継続して行われたか否かを判定する。未だ所定時間γが経過していない場合には、ステップ２０に移行して、上記のような電解水生成動作が継続される。
【００５５】
ステップ２５で、所定時間γが経過している場合には、第二の制御部３７は、電極４０ａ，４０ｂへの直流電圧の印加を停止し（ステップ２６）、電磁弁３３を閉じ（ステップ２７）、浴室暖房乾燥機１の第一の制御部２１に電解水噴霧運転の終了信号を送信する（ステップ２８）。
【００５６】
ここでの所定時間γはあらかじめ実験などにより定められた時間であり、電解水と酵母菌等の接触量を考慮すると２０分から４０分程度で、望ましくは３０分である。
【００５７】
浴室内の温度や使用浴室環境の酵母菌の発生状況によっても所定時間γは操作パネル２３により設定変更可能なようにしておく。また、浴室内温度センサー２４や浴室内湿度センサー２５から出力される検出信号等から第二の制御部３７により算出して設定されてもよい。
【００５８】
第一の制御部２１では、電解水噴霧運転の終了信号を受信すると（ステップ２９）、自動浴室乾燥運転を開始する（ステップ３０）。自動浴室乾燥運転では、循環ファン装置９が作動し、浴室２内に温風を送風し、次いで浴室２内の空気を換気する運転があらかじめ設定された所定時間で行われる。これは浴室内の壁面、天井面、床面と製品内部を乾かすためであり、自動浴室乾燥運転中に他の運転モードに万が一変更された場合でも、優先的におこなう。万が一自動浴室乾燥運転中に停止動作を受け付けた場合でも、一定時間経過後に再び自動浴室乾燥運転をおこなうようにする。そして、所定時間の自動浴室乾燥運転が終了すると（ステップ３１）、除菌運転を終了する。
【００５９】
上記のような浴室暖房乾燥機１では、次に示す効果を得ることができる。
【００６０】
（１）カビ抑制運転と、除菌運転を連動して行うことができるので、浴室２内でのカビの発生と、酵母菌等の増殖を抑制することができる。
【００６１】
（２）除菌運転では、電解槽ケース３４内で生成される電解水が浴室２内に噴霧されるので、浴室２の床面で増殖する酵母菌等に起因するぬめり等の汚れの発生を抑制することができる。
【００６２】
（３）電解水噴霧ユニット２７の動作時には、電磁弁３３が開いて電解槽ケース３４内に給水を供給し、電極板４１ａ〜４１ｅ間に通水される水に電流を流すことにより、電解水を生成することができる。
【００６３】
（４）電解水噴霧ユニット２７の電極４０ａ，４０ｂに印加する直流電圧は、前回の電解水噴霧ユニット２７の運転時とは異なる極性の電圧が印加される。従って、電極板４１ａ〜４１ｅの劣化、詳しくは電極板４１ａ〜４１ｅへの水垢等の汚れの堆積を抑制することができる。
【００６４】
（５）除菌運転では、浴室２内に電解水を噴霧した後に、乾燥運転と送風運転が行われるので、浴室２内での酵母菌等の増殖を効果的に抑制することができる。
【００６５】
（６）浴室２内にミストを噴霧する浴室暖房乾燥機１と、電解水を噴霧する電解水ノズル３５とを別体とし、天井面３に所定の距離を隔てて設置した。従って、ミスト運転と除菌運転の制御及び保守点検が容易となる。
【００６６】
（７）カビ抑制運転の後に除菌運転を行って電解水が浴室内に噴霧されるので、浴室２内での酵母菌等の増殖を効果的に抑制することができる。
【００６７】
（８）電磁弁３３を開として電解槽ケース３４内に給水をした後で電圧を印加する、すなわち電解槽へ通水している状態で電圧を印加することにより、電解水を生成できない状態で電圧を印加することがなく、電極板４１ａ〜４１ｅに過剰に電圧が印加されることを抑制できる。
【００６８】
なお、上記実施形態は、以下のように変更してもよい。
【００６９】
・電解水噴霧ユニットによる電解水の噴霧とカビ抑制運転との連動は、適宜設定できるものとし、例えばカビ抑制運転の前に除菌運転を行って電解水を浴室内に噴霧するようにしてもよい。これにより、浴室２内での酵母菌等の増殖及びカビの発生を効果的に抑制することができる。
【００７０】
・第一の制御部２１と、第二の制御部３７を一体の制御部とし、その制御部で浴室暖房乾燥機１及び電解水噴霧ユニット２７を制御するようにしてもよい。
【００７１】
・電解水噴霧ユニット２７における配管の配置および電解槽ケース３４内部の構造等は、図示したものに限られず、適宜設定できるものとする。
【００７２】
・電極４０ａ，４０ｂに印加する直流電圧の極性の入れ替えは、運転ごとだけでなく、長時間の電解水噴霧運転の場合等には、電解水噴霧運転中にも入れ替えが行われる構成であってもよい。これにより、さらに、電極板４１ａ〜４１ｅへの水垢等の汚れの堆積を抑制することができる。
【００７３】
以上、本発明に係る浴室暖房乾燥機について、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００７４】
本発明の浴室暖房乾燥機は、暖房機能とマイクロミスト運転機能を備えたミストサウナ装置等にも適用可能である。
【符号の説明】
【００７５】
１    浴室暖房乾燥機
２    浴室
３    天井面
４    フロントパネル
５    吸込み口
６    吹出し口
６ａ    ミストノズル（加湿ノズル）
６ｂ    ルーバー
７    本体
８    メインコイル（加熱部）
９    循環ファン装置
１０    マイクロミスト発生部（加湿部）
１１    破砕モータ
１２    遠心破砕円板
１３    揚水管
１４    貯水部
１５    破砕壁
１６    エリミネータ
１７    ダンパー
１８    換気口
１９    換気路
２０    換気ファン
２１    第一の制御部
２２    脱衣室
２３    操作パネル
２４    浴室内温度センサー
２５    浴室内湿度センサー
２６    脱衣室温度センサー
２７    電解水噴霧ユニット
２８    給水管
２９    分岐管
３０    給水接続部
３１    ケース
３２ａ，３２ｂ，３２ｃ    配管
３３    電磁弁
３４    電解槽ケース（電解槽）
３５    電解水ノズル
３６    電解水吹出口
３７    第二の制御部
３８    ケーブル
３９ａ，３９ｂ    電源ケーブル
４０ａ，４０ｂ    電極
４１ａ〜４１ｅ    電極板
４２    固定部材
【図１】
2019165831.tif 000003
【図２】
2019165831.tif 000004
【図３】
2019165831.tif 000005
【図４】
2019165831.tif 000006
【図５】
2019165831.tif 000007
【図６】
2019165831.tif 000008
【図７】
2019165831.tif 000009
【図８】
2019165831.tif 000010
【図９】
2019165831.tif 000011
【図１０】
2019165831.tif 000012
【図１１】
2019165831.tif 000013
【図１２】
2019165831.tif 000014